(57)【要約】【課題】  ボイスコイルモータとベース間の熱膨張に起因した歪みの開放を抑え、磁気ヘッドの位置決め精度が落ちるのを防止する構造を有するハードディスク装置のベースを提供すること。【解決手段】  ボイスコイルモータの下部ヨークを固定するための複数の接触面と、前記複数の接触面の周囲の所定範囲についてベース面の肉厚を薄くする薄肉部と、を有するハードディスク装置のベース。【選択図】        図１
2006221747.tif 000002
【特許請求の範囲】
【請求項１】
ボイスコイルモータの下部ヨークを固定するための複数の接触面と、
前記複数の接触面の周囲の所定範囲についてベース面の肉厚を薄くする薄肉部と、
を有するハードディスク装置のベース。
【請求項２】
請求項１に記載のハードディスク装置のベースにおいて、
前記複数の接触面は、
前記下部ヨークの凸部と係合する位置決め孔まわりに所定の高さ突出し、前記下部ヨークと接触する第１接触面と、
前記下部ヨークとベースとをネジ止めするためのネジ止め貫通孔まわりに所定の高さ突出し、前記下部ヨークと接触する第２接触面と、を含む
ことを特徴とするハードディスク装置のベース。
【請求項３】
請求項２に記載のハードディスク装置のベースにおいて、
前記薄肉部は、
前記第１接触面の周囲の前記位置決め孔と同心である環状の範囲についてベース面の肉厚を薄くする第１薄肉部と、
前記第２接触面の周囲の前記ネジ止め貫通孔と同心である環状の範囲についてベース面の肉厚を薄くする第２薄肉部と、を含む
ことを特徴とするハードディスク装置のベース。
【請求項４】
請求項３に記載のハードディスク装置のベースにおいて、
前記第１薄肉部は、前記環状の範囲のうち少なくとも一部が不連続である範囲について設けられ、
前記第２薄肉部は、前記環状の範囲のうち少なくとも一部が不連続である範囲について設けられる
ことを特徴とするハードディスク装置のベース。
【請求項５】
請求項１ないし４のいずれかに記載のハードディスク装置のベースにおいて、
前記薄肉部は、前記複数の接触面を囲んでなる範囲についてベース面の肉厚を薄くする
ことを特徴とするハードディスク装置のベース。
【請求項６】
請求項１ないし５のいずれかに記載のハードディスク装置のベースにおいて、
前記薄肉部の肉厚は、ベース肉厚の４分の１以上とする
ことを特徴とするハードディスク装置のベース。
【請求項７】
請求項１ないし６のいずれかに記載のハードディスク装置のベースを用いたハードディスク装置。
【発明の詳細な説明】
【技術分野】
【０００１】
本発明は、ハードディスク装置に関して、特にボイスコイルモータを取り付けるハードディスク装置のベースの構造に関する。
【背景技術】
【０００２】
ハードディスク装置はアクチュエータ（キャリッジ、ボイスコイルモータ、サスペンション、磁気ヘッド、ベアリングの集合体）、磁気ディスク、スピンドルモータおよびベースなどから構成されている。ボイスコイルモータは、アクチュエータをベアリング軸を中心に水平方向に回転させるためのものであり、ベースに固定して取りつけられる。
【０００３】
従来のハードディスク装置のベースのボイスコイルモータ取りつけ部分の斜視図を図５に示す。同図に示されるように、従来のベース１１は、位置決め孔２２、第１接触面２４、ネジ止め貫通孔２６、第２接触面２８、ネジ孔３０とを有する。ここで、接触面とはボイスコイルモータと接するベース上の面のことであり、さらに、第１接触面とは位置決め孔周りの接触面、第２接触面とはネジ止め貫通孔周りの接触面のことをいう。また、同図に示されるピボット孔３２は、アクチュエータの水平方向の回転中心となる。
【０００４】
図６は従来のベースにボイスコイルモータを取りつけた状態の断面図である。同図に示されるように、ボイスコイルモータの下部ヨーク４０とベース１１とは、下部ヨークの凸部４２がベース１１の位置決め孔２２に係合し、下部ヨークのネジ止め孔４４に螺合するネジによってネジ止め貫通孔２６を貫いてネジ止めされる。こうして、下部ヨークはベース上の第１接触面２４および第２接触面２８において位置決めされ、固定されている。ベース１１と下部ヨーク４０とは上記接触面以外ではわずかなクリアランスが空いており接触していない。また、ボイスコイルモータの上部ヨーク５０はネジ孔３０と螺合するネジによってベース１１に取りつけられる。
【０００５】
ボイスコイルモータは鋼製であるのに対して、ベースはアルミ製であるように、ハードディスク装置の構成部材間の熱膨張率は異なることが一般的であり、ハードディスク装置内の温度変化により、磁気ヘッドの位置決め精度が悪くなることがあった。従来では、下記特許文献１のように、熱膨張に起因して磁気ヘッドの位置決め精度が悪くなるのを防止するために、ヘッドクランプと磁気ヘッドの間にバネ性をもったワッシャを入れているものがある。
【特許文献１】特開平１−１７１１６９号公報
【発明の開示】
【発明が解決しようとする課題】
【０００６】
上記のように構成されたボイスコイルモータとベースとの接触面には、両者の熱膨張率の違いに起因したせん断力が加わる。このせん断力によりボイスコイルモータとベースとがずれようとする力が、両者間の接触面の摩擦力を上回ると、瞬間的に歪みが開放されオフトラックライト（Off Track Write）が起こるという問題がある。オフトラックライトとは、図７に示されるように、例えば磁気ヘッドが現在トラック１への書き込みを行っているときに磁気ヘッドがぶれることによって隣のトラック（トラック２）へ移ってしまうことをいう。この問題は、近年、磁気ディスクの高密度化が図られてトラック幅（磁気ディスク上の同心円状の記録領域の幅）が減少するにつれて顕在化してきた。
【０００７】
本発明は上記課題に鑑みてなされたものであって、その目的は、ボイスコイルモータとベース間の熱膨張に起因した歪みの開放を抑え、磁気ヘッドの位置決め精度が落ちるのを防止する構造を有するハードディスク装置のベースを提供することである。
【課題を解決するための手段】
【０００８】
上記課題を解決するために、本発明にかかるハードディスク装置のベースは、ボイスコイルモータの下部ヨークを固定するための複数の接触面と、前記複数の接触面の周囲の所定範囲についてベース面の肉厚を薄くする薄肉部と、を有する。
【０００９】
本発明によれば、ベースの面内剛性を低下させるので、温度変化が起きたときに、ボイスコイルモータとベースの複数の接触面に発生するせん断力を減ずることができる。そうして、ボイスコイルモータとベース間の歪みの開放を抑えることができる。
【００１０】
本発明の一態様では、前記複数の接触面は、前記下部ヨークの凸部と係合する位置決め孔まわりに所定の高さ突出し、前記下部ヨークと接触する第１接触面と、前記下部ヨークとベースとをネジ止めするためのネジ止め貫通孔まわりに所定の高さ突出し、前記下部ヨークと接触する第２接触面と、を含むことを特徴とする。こうすれば、ネジ孔まわりの第１接触面と、位置決め孔まわりの第２接触面の周囲の面内剛性を低下させることができるので、第１接触面と第２接触面に発生するせん断力を減ずることができる。
【００１１】
本発明の一態様では、前記薄肉部は、前記第１接触面の周囲の前記位置決め孔と同心である環状の範囲についてベース面の肉厚を薄くする第１薄肉部と、前記第２接触面の周囲の前記ネジ止め貫通孔と同心である環状の範囲についてベース面の肉厚を薄くする第２薄肉部と、を含むことを特徴とする。こうすれば、第１接触面と第２接触面との周囲の面内剛性を効果的に低下させることができ、第１接触面と第２接触面に発生するせん断力を効果的に減ずることができる。
【００１２】
本発明の一態様では、前記第１薄肉部は、前記第１薄肉部は、前記環状の範囲のうち少なくとも一部が不連続である範囲について設けられ、前記第２薄肉部は、前記環状の範囲のうち少なくとも一部が不連続である範囲について設けられることを特徴とする。こうすれば、薄肉部を設ける範囲を少なくしてベース面に垂直方向の剛性を維持しつつも、第１接触面と第２接触面との周囲の面内剛性を効果的に低下させて、第１接触面と第２接触面に発生するせん断力を効果的に減ずることができる。
【００１３】
本発明の一態様では、前記薄肉部は、前記複数の接触面を囲んでなる範囲についてベース面の肉厚を薄くすることを特徴とする。こうすれば、複数の接触面を囲んでなる範囲の周囲の面内剛性を低下させることができ、複数の接触面に発生するせん断力を減ずることができる。
【００１４】
本発明の一態様では、前記薄肉部の肉厚は、ベース肉厚の４分の１以上とすることを特徴とする。こうすれば、ベース面に垂直方向の剛性を必要程度維持したまま、ベース面に水平方向の剛性を落とし、接触面に発生するせん断力を減じて、ボイスコイルモータとベース間の歪みの開放を抑えることができる。
【発明を実施するための最良の形態】
【００１５】
以下、本発明の好適な実施形態について図面に基づいて詳細に説明する。
【００１６】
図１は、本発明の実施の形態に係るベース１０の斜視図である。図１に示すように、ベース１０は、図５に示された従来のベースにおいて、第１接触面２４の周囲に環状の第１薄肉部１２と、第２接触面２８の周囲に環状の第２薄肉部１４を設けたものである。また、同図に示されるピボット孔３２は、アクチュエータの水平方向の回転中心となる。
【００１７】
第１薄肉部１２は、位置決め孔２２と同心である環状の範囲についてベース面を削って肉厚を薄くしたものであるが、ダイキャストにより成型してもよい。第１薄肉部の外径は、ベース面上の第１接触面の周辺構造と干渉しない範囲でなるべく大きくし、内径は第１接触面の径よりもわずかに大きくとる。
【００１８】
第２薄肉部１４は、ネジ止め貫通孔２６と同心である環状の範囲についてベース面を削って肉厚を薄くしたものであるが、ダイキャストにより成型してもよい。上記の第１薄肉部と同様に、第２薄肉部の外径は、ベース面上の第２接触面の周辺構造と干渉しない範囲でなるべく大きくし、内径は第２接触面の径よりもわずかに大きくとる。
【００１９】
図２は、本発明の実施の形態に係るベース１０とボイスコイルモータとを取りつけた状態の断面図である。図６で示された従来ベースと同様に、下部ヨーク４０とベース１０とは、下部ヨークの凸部４２がベース１０の位置決め孔２２に係合し、下部ヨークのネジ止め孔４４に螺合するネジによってネジ止め貫通孔２６を貫いてネジ止めされる。こうして、下部ヨーク４０はベース上の第１接触面２４および第２接触面２８において位置決めされ、固定されている。
【００２０】
第１接触面の周囲に設けられる第１薄肉部１２の厚さは、ベース肉厚の半分程度とする。ここで、ベース肉厚とは、ベース面を削る前の厚みをいう。また、第２接触面の周囲に設けられる第２薄肉部１４の厚さは、第１薄肉部１２と同様に、ベース肉厚の半分程度とする。
【００２１】
上記の構成は、ベースとボイスコイルモータとの熱膨張率の違いに起因するオフトラックライトを防止するためのものである。上述のオフトラックライトは、ベースの接触面に働くせん断力を減ずることで発生が抑えられる。接触面に働くせん断力を減ずるには、ベースの接触面の周囲の面内剛性を低下させればよい。本発明では、ベースに第１薄肉部１２および第２薄肉部１４を設けることで、ベースの第１接触面２４および第２接触面２８の周囲の面内剛性を低下させ、上記のせん断力を減じている。なお、ベース面に平行な方向の剛性を落としつつも、垂直方向の剛性はなるべく落とさないようにするために、薄肉部は、範囲を広く取り、厚さはあまり薄くならないようにするのが望ましい。
【００２２】
本発明の実施の形態に係るベース１０による発明の効果を以下に示す。
【００２３】
本発明の実施に係るベースと従来のベースとの性能の比較を行うために以下の実験を行った。実験は、本発明の実施に係るベース１０および従来のベースをそれぞれ３台づつ用意し、各々のベースにボイスコイルモータを取りつけた後、−２０℃から１００℃の熱サイクルを３回かけることで行った。そして、その間に本発明の実施に係るベース１０のグループと従来のベースのグループのそれぞれで発生した衝撃のモニタ回数をカウントした。
【００２４】
その実験結果が図３に示されている。図３の横軸の左側が本発明の実施に係るベース１０のグループの結果で、右側が従来のベースのグループの結果である。縦軸は、衝撃によって振動した回数を示す。また、振動は大きさによって０−２Ｇ、２−４Ｇ、４−６Ｇ、６−８Ｇの４つに分けてカウントした。ここで、Ｇとは重力加速度のことである。
【００２５】
従来のベースのグループでは、０−２Ｇが２回、２−４Ｇが１回、４−６Ｇが２回そして６−８Ｇが１回の計６回の振動が発生したのに対して、本発明に係るベースのグループでは、４−６Ｇの２回しか振動が発生しなかった。したがって、本発明に係るベースによってボイスコイルモータとベース間の熱膨張に起因した歪みの開放が抑えられていることが、この実験によって定量的に示された。
【００２６】
以上説明した本発明の実施の形態に係るベース１０によれば、ボイスコイルモータとベース間の熱膨張に起因した歪みの開放を抑え、磁気ヘッドの位置決め精度が落ちるのを防止することができる。
【００２７】
なお、本発明は上記実施形態に限定されるものではない。
【００２８】
例えば、上記実施例では、第１薄肉部と第２薄肉部とをそれぞれ第１接触面の周囲と第２接触面の周囲に環状に一周させて設けているが、別に環状に不連続に設けてもよい。図４に第１薄肉部と第２薄肉部を設ける位置の一例を示す。同図は第１接触面と第２接触面付近のみを抜き出したベースの平面図であり、同図に示される斜線部の位置に第１薄肉部と第２薄肉部を設けることとしてもよい。また、同図では、第１薄肉部および第２薄肉部は１つの部分でのみ環が途切れていることとしているが、それぞれ２つ以上の部分で環が途切れているようにしてもよい。
また、上記実施例では、薄肉部を第１接触面の周囲および第２接触面の周囲に環状に設けているが、それぞれの周囲に多角形の形状に設けてもよい。
【００２９】
また、上記実施例では、接触面の周囲に薄肉部を設けることとしているが、ベースの面内剛性を減ずるために、薄肉部の代わりにベース面に貫通孔を開けることとしてもよい。
【図面の簡単な説明】
【００３０】
【図１】本発明の実施の形態に係るベースの斜視図である。
【図２】本発明の実施の形態に係るベースとボイスコイルモータとを取りつけた状態の断面図である。
【図３】本発明の実施の形態に係るベースと従来のベースとの性能の比較の実験結果を示す図である。
【図４】第１薄肉部と第２薄肉部を設ける位置の一例を示すベースの平面図である。
【図５】従来のハードディスク装置のベースの斜視図である。
【図６】従来のベースにボイスコイルモータを取りつけた状態の断面図である。
【図７】オフトラックライトを示す図である。
【符号の説明】
【００３１】
１０  本発明に係るハードディスク装置のベース、１１  従来のハードディスク装置のベース、１２  第１薄肉部、１４  第２薄肉部、２２  位置決め孔、２４  第１接触面、２６  ネジ止め貫通孔、２８  第２接触面、３０  ネジ孔、３２  ピボット孔、４０  下部ヨーク、４２  位置決め用凸部、４４  ネジ止め孔、５０  上部ヨーク。
【図１】
2006221747.tif 000003
【図２】
2006221747.tif 000004
【図３】
2006221747.tif 000005
【図４】
2006221747.tif 000006
【図５】
2006221747.tif 000007
【図６】
2006221747.tif 000008
【図７】
2006221747.tif 000009